(57)【要約】      （修正有）【課題】教育的効果のある調整可能なシール構造の提供。【解決手段】一種の教育的効果のある調整可能なシール構造であり、図案を有するシール本体１０、及び可動するようにその周縁に設けられている可動プレート２０により構成される。該シール本体裏面の中央部に粘着部１１を設け、かつその本体図案の輪郭となる周縁部に粘着剤のない外縁部１２を有し、かつ該外縁部の適切な位置に図案に合った可動プレートを数枚回転するように設ける。これらの可動プレートは数枚でひと繋がりになる方式により、その動作が及ぶ範囲を延長或いは増加させることができる。該シールを用いる時は、この可動プレートの回転方向を自由に調整でき、さまざまな背景画を有する絵本、カード及び背景板に組み合わせて共に使用でき、情景全体を思い通りに変化させることで、面白みを増す。【選択図】図１
0003119932.tif 000002
【実用新案登録請求の範囲】
【請求項１】
一種の「教育的効果のある調整可能なシール構造」であり、図案を有するシール本体、及びその周縁に回転するように設けられている可動プレートにより構成されるものを含み、その特徴は、前記シール本体裏面の中央部に粘着部を設け、かつその本体図案の輪郭となる周縁部に粘着剤のない外縁部を有し、かつ該外縁部の適切な位置に図案に合った可動プレートを数枚回転するように設け、これらの可動プレートそのものは粘着性を有せず、シール本体との間の位置及び方向を随時調整できるものであることを特徴とする、教育的効果のある調整可能なシール構造。
【請求項２】
前記可動プレートは数枚でひと繋がりになる方式によりその動作が及ぶ範囲を延長或いは増加させることができることを特徴とする、請求項１に記載の教育的効果のある調整可能なシール構造。
【請求項３】
前記可動プレートはリベットによりシール本体に回転するように設けられるものであることを特徴とする、請求項１に記載の教育的効果のある調整可能なシール構造。
【請求項４】
前記可動プレートは雌雄リベットによりシール本体に回転するように留め合わせられるものであることを特徴とする、請求項１に記載の教育的効果のある調整可能なシール構造。
【請求項５】
前記可動プレート裏面の適切な位置に粘着剤を配し、可動プレートの回転後にその位置を固定させる機能として用いることを特徴とする、請求項１に記載の教育的効果のある調整可能なシール構造。
【請求項６】
前記シール本体の粘着部に磁石を貼り付けることを特徴とする、請求項１に記載の教育的効果のある調整可能なシール構造。
【請求項７】
前記シールは絵本と組み合わせて使用できることを特徴とする、請求項１に記載の教育的効果のある調整可能なシール構造。
【請求項８】
前記シールはカードと組み合わせて使用できることを特徴とする、請求項に１記載の教育的効果のある調整可能なシール構造。
【請求項９】
前記シールは図案を有する背景板と組み合わせて使用できることを特徴とする、請求項１に記載の教育的効果のある調整可能なシール構造。
【考案の詳細な説明】
【技術分野】
【０００１】
本考案は教育的効果のある調整可能なシール構造に関し、特に一種の調整可能なシール構造を指し、その本体周縁にある可動プレートは回転方向及び位置を自由に調整でき、シールの面白みを増すものである。
【背景技術】
【０００２】
一般的なシールは図案がシール表面に直接印刷され、シール裏面の粘着剤を利用して各種物品の表面に貼り付けられ、装飾の役割を果たすものである。そして図案も全て動作を有せず、印刷用テンプレートのデザインにより製造されている。そのためその使用面での面白み及び範囲は相当限定されたものとなり、子供にとって大きな関心をもたらすものではない。そのため本考案の考案者は一般的なシールの機能が相当限られていることに鑑み、ここに丹念に研究を重ね、また該事業に従事した長年の経験を結集し、最後に一種の斬新な教育的効果のある調整可能なシール構造の構想に至ったのである。前記シールは本体裏面の中央部のみ粘着性を有し、かつ図案の輪郭となる周縁部は粘着剤を有せず、前記周縁部に可動プレート数枚を可動するように設ける。これにより該シール図案が可動できる形態となるのである。仮にシールを人体を模した人形の図案にするなら、このシール本体が胴体の部分となり、可動プレートは頭部及び四肢となって、該シールは人体の走る、飛び跳ねる、座る、寝るといった動作形態を有することとなる。さらに前記シールはその他に動物、車両或いは物体等の様子を模したものともなりうる。これらにより図案がさらに思い通りに変化されることで、面白みを増し、子供が該シールを使用する過程で教育的な効果を果たしえるのである。
【考案の開示】
【考案が解決しようとする課題】
【０００３】
本考案の主な目的は、一種の調整可能なシール構造を提供し、これに組み合わされた図案の可動プレートが自由に回転できる特性を有し、図案をさらに思い通りに変化させることで、面白みが増せるものである。
【０００４】
上述の目的を達するため、本考案である教育的効果のある調整可能なシール構造は、図案を有するシール本体、及びその周縁に可動するように設けられている可動プレート数枚により構成されるものを含む。そのうち該シール本体裏面は中央部に粘着部を設け、かつその図案の輪郭となる周縁部には粘着剤のない外縁部を配し、かつ該外縁部の適切な位置に図案に合った可動プレートを数枚回転するように設ける。また、これらの可動プレートは数枚でひと繋がりになる方式によりその動作が及ぶ範囲を延長或いは増加させることができる。
【０００５】
上述の構造に基づき、その可動プレートはシール本体の外縁部に回転するように取り付けられた後、回転接合部を支点に時計／反時計回りに回転でき、図案が各種さまざまな動作をなしえる。これにより図案に思い通りの変化がもたらされるだけでなく、面白みをも増すのである。さらに、本考案は背景画を有する絵本、カード或いは背景板と組み合わせても使用でき、表現する主題、物語の筋書きの違いに合わせて、シールをさまざまな人物、動物さらには車両等に模して作ることができる。また子供が読書をしている時に、文字による内容説明のみならず、物語の主役による生き生きとした表情や身振り手振りも目に入り、子供は人体の動作及び機械操作の概念と原理に対しさらに理解を深めることもできるのである。例えば、踊り手、サッカー選手及び陸上選手等が運動している時の手足の動作及びリズム、或いは掘削機及びフォークリフト操作時の動き方がそれらの例である。これらにより絵本そのものに含まれた寓意への理解も深まり、シール及び絵本、カード或いは図案を有する背景板の機能を大幅に向上させ、楽しみながら学習ができるという機能を果たしうる。そして子供の将来に於ける知力の発達にはかり知れない効果を及ぼすのである。また他に、もしシールの粘着部に磁石を組み合わせて使用すれば、その応用範囲は更に拡大し、貼り付け、取り外しを繰り返せることで、使用効果は更に高まるのである。
【課題を解決するための手段】
【０００６】
請求項１の考案は、一種の教育的効果のある調整可能なシール構造であり、図案を有するシール本体、及びその周縁に回転するように設けられている可動プレートにより構成されるものを含み、その特徴は、前記シール本体裏面の中央部に粘着部を設け、かつその本体図案の輪郭となる周縁部に粘着剤のない外縁部を有し、かつ該外縁部の適切な位置に図案に合った可動プレートを数枚回転するように設けることであり、これらの可動プレートそのものは粘着性を有せず、シール本体との間の位置及び方向を随時調整できるものであることを特徴とする、教育的効果のある調整可能なシール構造としている
請求項２の考案は、前記可動プレートは数枚でひと繋がりになる方式によりその動作が及ぶ範囲を延長或いは増加させることができることを特徴とする、請求項１に記載の教育的効果のある調整可能なシール構造としている。
請求項３の考案は、前記可動プレートはリベットによりシール本体に回転するように設けられるものであることを特徴とする、請求項１に記載の教育的効果のある調整可能なシール構造としている。
請求項４の考案は、前記可動プレートは雌雄リベットによりシール本体に回転するように留め合わられるものであることを特徴とする、請求項１に記載の教育的効果のある調整可能なシール構造としている。
請求項５の考案は、前記可動プレート裏面の適切な位置に粘着剤を配し、可動プレートの回転後にその位置を固定させる機能として用いることを特徴とする、請求項１に記載の教育的効果のある調整可能なシール構造としている。
請求項６の考案は、前記シール本体の粘着部に磁石を貼り付けることを特徴とする、請求項１に記載の教育的効果のある調整可能なシール構造としている。
請求項７の考案は、前記シールは絵本と組み合わせて使用できることを特徴とする、請求項１に記載の教育的効果のある調整可能なシール構造としている。
請求項８の考案は、前記シールはカードと組み合わせて使用できることを特徴とする、請求項に１記載の教育的効果のある調整可能なシール構造としている。
請求項９の考案は、前記シールは図案を有する背景板と組み合わせて使用できることを特徴とする、請求項１に記載の教育的効果のある調整可能なシール構造としている。
【考案の効果】
【０００７】
本考案教育的効果のある調整可能なシール構造は自由に方向変換ができる特性を有し、図案を思い通りに変化させることで、面白みを増すことができるものである。また絵本及びカードと組み合わせ、これらに貼り付けて使用することで、背景画の変化に応じて自由に調整できる。そのため楽しみながら学習ができるという機能を更に高め、創作の実用性と発展性を兼ね備えている。
【考案を実施するための最良の形態】
【０００８】
図１、２、３に示したのは、本考案である教育的効果のある調整可能なシール構造が、図案を有するシール本体１０、及びその周縁に可動するように設けられている数枚の可動プレート２０により構成されるものを含むことである。
【０００９】
そのうち、該シール本体１０裏面は中央部に粘着部１１を設け、そのシール本体１０図案の輪郭となる周縁部に粘着剤のない外縁部１２を有し、かつ該外縁部１２の適切な位置に図案に合った数枚の可動プレート２０を（例えばリベット或いは雌雄リベットで）可動するように設ける。この可動プレート２０そのものは粘着性を有せず、シール本体１０との間の位置及び方向を随時調整できる。また他には、該可動プレート２０裏面の適切な位置に粘着剤を配し、可動プレート２０の回転後にその位置を固定させる機能として用いる。さらに、これら数枚の可動プレート２０でひと繋がりになる方式によりその動作が及ぶ範囲を延長或いは増加させることができる。
【００１０】
図４、５、６に示したのは、本考案のさまざまなタイプでの使用実施例である。本考案により人物や動物の図案を作る時、このシール本体１０を胴体として、可動プレート２０はそれぞれ頭部及び四肢の部分を形作ることができる。この中で、回転するように接続された部分は、胴体と連結する関節部を形成するのである。また例えば掘削機の車両図案を作成する時、シール本体１０を車体とし、可動プレート２０を機械のアーム部及び車輪の部分として作成する。さまざまな背景画と組み合わせることで、生き生きとした情景が作り出せるのである。本考案はまた背景画を有する絵本或いはカードと組み合わせた使用が可能で、表現する物語の筋書きの違いと背景画の変化に応じて自由に調整でき、楽しみながら学習ができるという効果を更に高めることができるのである。さらに、さまざまな主題(例えば、スポーツ、工事現場或いは季節等の異なる情景)の背景板と組み合わせて使用でき、該背景版と同様の主題を有するシールを利用後、自分だけのオリジナルな情景(例えば、スポーツ試合、製品図面等)が作れるのである。
【００１１】
次に、図７に示されるように、本考案のシール本体１０の粘着部１１に磁石１３が貼り付けられ、図案を有する金属板或いはマグネットプレート２に貼り付けることができ、貼り付け、取り外しが繰り返せる。
【００１２】
上述したものを総合すれば、本考案「教育的効果のある調整可能なシール構造」は自由に方向変換ができる特性を有し、図案を思い通りに変化させることで、面白みを増すことができるものである。また絵本及びカードと組み合わせ、これらに貼り付けて使用することで、背景画の変化に応じて自由に調整できる。そのため楽しみながら学習ができるという機能を更に高め、創作の実用性と発展性を兼ね備えている。
【図面の簡単な説明】
【００１３】
【図１】本考案の立体分解図である。
【図２】本考案の全体組合図である。
【図３】本考案のもう一つの実施例の全体組合図である。
【図４】本考案であるシールにより作成された人物の使用を示す図である。
【図５】本考案であるシールにより作成された動物の使用を示す図である。
【図６】本考案であるシールにより作成された掘削機の使用を示す図である。
【図７】本考案のさらに別の実施例の立体分解である。
【符号の説明】
【００１４】
２  金属板或いはマグネットプレート
１０  シール本体
１１  粘着部
１２  外縁部
１３  磁石
２０  可動プレート
【図１】
0003119932.tif 000003
【図２】
0003119932.tif 000004
【図３】
0003119932.tif 000005
【図４】
0003119932.tif 000006
【図５】
0003119932.tif 000007
【図６】
0003119932.tif 000008
【図７】
0003119932.tif 000009